(57)【特許請求の範囲】
【請求項１】
移動通信網（２１）の移動局であり、タッチスクリーンを入出力手段として備える移動通信端末（１０）をコンピュータ（４１）によって制御するに当たり、
移動通信端末（１０）及びコンピュータ（４１）にそれぞれ搭載された被制御プログラム及び制御プログラムが実行され、移動通信端末（１０）とコンピュータ（４１）との間に通信路が開設されるステップと、
移動通信端末（１０）の運営体系が移動通信端末（１０）のディスプレイを暗転状態に切り替えると、移動通信端末（１０）がコンピュータ（４１）に暗転信号を伝送するステップと、
暗転信号を受信したコンピュータ（４１）が、コンピュータ（４１）の画面表示部（５０）を暗転状態に切り替えるとともに、コンピュータ（４１）の画面表示部（５０）に、画面表示部（５０）が暗転状態に置かれているときの、入力装置を介する入力イベントを感知する感知領域（５１）を設定するステップと、
コンピュータ（４１）の画面表示部（５０）の感知領域（５１）内の操作が感知されると、コンピュータ（４１）が移動通信端末（１０）に、移動通信端末（１０）のディスプレイを動作させるための復元信号を伝送するステップと、
復元信号を受信した移動通信端末（１０）が、移動通信端末（１０）の運営体系に操作信号を入力して移動通信端末（１０）のディスプレイを動作させるステップとを有することを特徴とするコンピュータによってタッチスクリーンタイプの移動通信端末を制御するに当たってのコンピュータ及び移動通信端末の画面状態の管理方法。
【請求項２】
画面表示部（５０）には、移動通信端末（１０）の外形イメージであるスキン（５５）が含まれ、
感知領域（５１）は、前記スキン（５５）に設定される請求項１に記載のコンピュータによってタッチスクリーンタイプの移動通信端末を制御するに当たってのコンピュータ及び移動通信端末の画面状態の管理方法。
【発明の詳細な説明】
【技術分野】
【０００１】
本発明は、移動通信網２１の移動局であり、タッチスクリーンを入出力手段として備える（被制御）移動通信端末１０をコンピュータ４１によって制御するに当たり、移動通信端末１０のディスプレイを介して出力される画面情報を、コンピュータ４１の画面に形成される画面表示部５０に出力し、移動通信端末１０のディスプレイが暗転状態に切り替えられると、コンピュータ４１の画面表示部５０も暗転状態に切り替えるとともに、コンピュータ４１を操作することによって移動通信端末１０のディスプレイの暗転状態を解除することができるようにしたコンピュータ及び移動通信端末の画面状態の管理方法に関するものである。
【背景技術】
【０００２】
移動通信技術の発展に伴い、音声通話又はショート・メッセージ・サービス（Ｓｈｏｒｔ  Ｍｅｓｓａｇｅ  Ｓｅｒｖｉｃｅ：ＳＭＳ）に限られていた通信方式から、ＷＡＰ（Ｗｉｒｅｌｅｓｓ  Ａｐｐｌｉｃａｔｉｏｎ  Ｐｒｏｔｏｃｏｌ）等の通信規約に基づく移動通信網２１を介するインターネットへの接続を利用する通信方式に変化した。また、近年、移動通信網２１を介するデータ処理速度が飛躍的に高くなり、大容量の制御演算装置及び記憶装置だけでなく、高解像度のタッチスクリーン等の入出力装置を搭載した高機能な移動通信端末１０が普及されるのに伴って、無線ＬＡＮ（Ｌｏｃａｌ  Ａｒｅａ  Ｎｅｒｗｏｒｋ）２２を介するＴＣＰ／ＩＰ（Ｔｒａｎｓｐｏｒｔ  Ｃｏｎｔｒｏｌ  Ｐｒｏｔｏｃｏｌ／Ｉｎｔｅｒｎｅｔ  Ｐｒｏｔｏｃｏｌ）基盤によるインターネットへの接続だけでなく、高解像度の映像処理及び様々なマルチメディアサポートアプリケーションの実行が可能になった。
【０００３】
いわゆるスマートフォン（ｓｍａｒｔ  ｐｈｏｎｅ）と呼ばれる高機能な移動通信端末１０は、高解像度のタッチスクリーン及び関連した制御演算装置を備えるが、典型的なキーパッドタイプの操作環境だけでなく、一般的なデスクトップコンピュータ４１に匹敵するグラフィック・ユーザ・インターフェース（Ｇｒａｐｈｉｃ  Ｕｓｅｒ  Ｉｎｔｅｒｆａｃｅ：ＧＵＩ）を具現化している。したがって、ユーザにとっての操作性及び可読性が向上し、従来の移動通信端末１０に比べて飛躍的に向上した制御演算及び記憶容量に基づいて、様々な作業を行うことができるアプリケーションの搭載及び実行が可能である。
【０００４】
特に、移動通信網２１及び無線ＬＡＮ２２を用いた高機能な移動通信端末１０のインターネット接続が一般化し、ＳＮＳ（Ｓｏｃｉａｌ  Ｎｅｔｗｏｒｋｉｎｇ  Ｓｅｒｖｉｃｅ）が拡大するのに伴って、移動通信端末１０のユーザ間の情報交換が活性化していて、移動通信端末１０が、通信機器に限られていた従来の機能を超えてマルチメディア機器又は携帯型のコンピュータとして発展するのに伴い、このような移動通信端末１０の機能及び携帯性に基づいて、インターネットを介して様々な情報を自発的に提供したり、交換したりするユーザが増えている。
【０００５】
また、移動通信端末１０のハードウェア及び運営体系の処理容量だけでなく、操作性、機能、ユーザインターフェース等が従来の移動通信端末１０に比べて飛躍的に向上し、基本の機能である通信だけでなく、様々なタイプの電子文書の作成及び閲覧、マルチメディアデータの処理等が可能になった。その結果、処理される情報が質的、かつ、量的に増大していて、移動通信端末１０の操作方法が複雑化している。
【０００６】
このことから、図１に示されるように、移動通信端末１０とコンピュータ４１との間に通信路を設定して、移動通信端末１０をコンピュータ４１によって制御し、移動通信端末１０とコンピュータ４１との間でデータを交換することにより、移動通信端末１０を更に効率的に活用可能にする技術が開発されて利用されている。
【０００７】
このようなコンピュータ４１による移動通信端末１０の制御は、コンピュータ４１及び移動通信端末１０にそれぞれ搭載された制御プログラム及び被制御プログラムによって実行される。また、制御プログラム及び被制御プログラムを運営体系にモジュール化したり、アプリケーションとして搭載したりすることができる。
【０００８】
そして、コンピュータ４１の制御プログラムが実行されると、コンピュータ４１と移動通信端末１０との間に通信路が開設された状態で、図１に示されるように、コンピュータ４１の画面に画面表示部５０が形成され、移動通信端末１０のディスプレイを介して出力される画像と同一の画像が画面表示部５０に出力される。コンピュータ４１のユーザは、前記制御プログラムを介して形成される画面表示部５０を、マウス等の入力装置によって操作することにより、移動通信端末１０を操作し、移動通信端末１０に保存された情報をコンピュータ４１にコピーしたり、移動通信端末１０のディスプレイを介して出力される画像をキャプチャーしたりして、移動通信端末１０を直接操作するのと同様の作業を行うことができる。
【０００９】
移動通信端末１０とコンピュータ４１との間の通信路は、様々な方式により開設することができ、代表的な例を図２及び３に示す。
【００１０】
図２は、移動通信端末１０とコンピュータ４１とがＵＳＢ（Ｕｎｉｖｅｒｓａｌ  Ｓｅｒｉａｌ  Ｂｕｓ）等を介して直接連結された状態を示す図である。図に示されるように、移動通信端末１０はＵＳＢデバイスとして、コンピュータ４１はＵＳＢホストとして動作する。この場合、コンピュータ４１に搭載される制御プログラムは、運営体系内のＵＳＢシステム・プログラム又はＵＳＢクライアント・デバイス・ドライバであってもよい。
【００１１】
図２に示される移動通信端末１０とコンピュータ４１との直接連結は、主に、移動通信端末１０のユーザがユーザ自身のコンピュータ４１と移動通信端末１０との間で、データを移動したり、更新したりする場合に行われ、図２に示されるような物理的な直接連結に限られるものではなく、ブルートゥース（Ｂｌｕｅｔｏｏｔｈ）、ジグビー（ＺｉｇＢｅｅ）等の近距離無線通信方式によって行うこともできる。
【００１２】
図３は、移動通信端末１０とコンピュータ４１とが無線網２０及びインターネットを介して連結された状態を示す図である。図に示されるように、無線網２０は、ＴＤＭＡ（Ｔｉｍｅ  Ｄｉｖｉｓｉｏｎ  Ｍｕｌｔｉｐｌｅ  Ａｃｃｅｓｓ）方式、ＣＤＭＡ（Ｃｏｄｅ  Ｄｉｖｉｓｉｏｎ  Ｍｕｌｔｉｐｌｅ  Ａｃｃｅｓｓ）方式等の移動通信網２１、及びＴＣＰ／ＩＰ（Ｔｒａｎｓｐｏｒｔ  Ｃｏｎｔｒｏｌ  Ｐｒｏｔｏｃｏｌ／Ｉｎｔｅｒｎｅｔ  Ｐｒｏｔｏｃｏｌ）基盤の通信を行うＷｉ−Ｆｉ（Ｗｉｒｅｌｅｓｓ−Ｆｉｄｅｌｉｔｙ）、ＷｉＢｒｏ（Ｗｉｒｅｌｅｓｓ  Ｂｒｏａｄｂａｎｄ）等の無線ＬＡＮ２２から成り、無線ＬＡＮ２２及び移動通信網２１は、それぞれゲートウェイ・サーバ３１、及び一種のゲートウェイ・サーバである通信社サーバ３２を介してインターネットに接続される。そして、インターネットと接続されたコンピュータ４１によって移動通信端末１０が制御される。
【００１３】
この場合、図３に示されるような移動通信端末１０とコンピュータ４１との間のインターネットを介する連結は、主に、制御の対象となる移動通信端末１０を加入者として集めた通信会社、又は有料のデータ、アプリケーション等を配布し、無線網２０と連係したインターネット情報提供会社が提供する遠隔制御顧客支援サービスを行う際に適用される方式であり、前記通信会社又は情報提供会社のコールセンタのオペレータが、コンピュータ４１のユーザとなる。
【００１４】
そして、移動通信端末１０とコンピュータ４１とが連結された環境下で、コンピュータ４１及び移動通信端末１０にそれぞれ搭載された制御プログラム及び被制御プログラムが実行されると、コンピュータ４１の制御プログラムは、操作命令を移動通信端末１０の被制御プログラムに伝送し、移動通信端末１０において操作命令を受信すると、被制御プログラムは、操作命令を移動通信端末１０の運営体系に入力したり、移動通信端末１０の画面情報をコンピュータ４１の制御プログラムに伝送したりする。このようにして、コンピュータ４１による移動通信端末１０の制御が行われる。通常、図１に示されるように、コンピュータ４１の画面に画面表示部５０が形成され、該画面表示部５０に、移動通信端末１０のディスプレイを介して出力される画像と同一の画像が出力される。
【００１５】
図４は、従来の技術における移動通信端末１０のコンピュータ４１による制御状況を示す図である。図に示されるように、移動通信端末１０のディスプレイが暗転状態に切り替えられても、コンピュータ４１の画面表示部５０には暗転状態に切り替わる前の画像が表示される。
【００１６】
一般的に、タッチスクリーンを入出力手段として備える移動通信端末１０においては、所定の時間が経過する間にタッチスクリーン又は操作ボタンによる入力がない場合に、ディスプレイが暗転状態に切り替えられるようになっている。なお、暗転状態とは、ディスプレイに電圧を印加する電源を遮断して、ディスプレイの作動そのものを中止するか、又はディスプレイの背面に配設されるバックライトの電源を遮断して、ユーザがディスプレイ画面を確認することができなくするかした状態をいう。
【００１７】
このように、移動通信端末１０のディスプレイを暗転状態に切り替えることによって、不要な電力の消費を抑制し、ディスプレイのハードウェアの寿命を長くすることができる。
【００１８】
ところで、図４に示されるように、コンピュータ４１による移動通信端末１０の制御が行われる際に、移動通信端末１０のディスプレイが暗転状態に切り替えられても、コンピュータ４１に搭載された制御プログラムはそれを反映することができず、画面表示部５０には暗転状態に切り替わる前の画像が表示されるので、正確、かつ、効率的な制御を行うことができなくなるだけでなく、誤操作が発生することがある。
【００１９】
移動通信端末１０のディスプレイの暗転状態への切替えは、所定の時間が経過する間にタッチスクリーン、操作ボタン等のハードウェアによる入力がない場合、移動通信端末１０の運営体系がディスプレイの作動を中止することである。コンピュータ４１によって移動通信端末１０の制御が行われる場合、移動通信端末１０のハードウェアによる入力は発生しない。したがって、制御過程で移動通信端末１０のディスプレイの暗転状態への切替えが行われる可能性が非常に高い。また、暗転状態への切替えは、ディスプレイに出力される画像が変更されるのではなく、運営体系がディスプレイのハードウェア自体の作動を中止することであり、コンピュータ４１の制御プログラムが受信する画面情報には変化がないので、コンピュータ４１の制御プログラムは、移動通信端末１０のディスプレイが暗転状態であるかどうかを把握することができない。
【００２０】
このようなコンピュータ４１の移動通信端末１０の制御過程で発生する暗転状態への切替えは、図３に示されるように、遠隔地のコンピュータ４１が移動通信端末１０をインターネット及び無線網２０を介して遠隔制御する過程でさらに深刻な問題を発生させる。
【００２１】
すなわち、図３に示されるような移動通信端末１０とコンピュータ４１との間の通信路の開設環境は、主に、情報通信機器の使用に慣れていないユーザの移動通信端末１０を、通信会社、インターネット情報提供会社等のコールセンタのオペレータが自身のコンピュータ４１によって遠隔制御するサービスに適用される。この場合、オペレータであるコンピュータ４１のユーザが、制御対象である移動通信端末１０のディスプレイを直接視覚的に確認する方法がまったくないので、制御対象である移動通信端末１０が暗転状態に切り替えられても、それを把握していない状態で一方的に遠隔制御を行うことがある。その結果、深刻な誤操作が発生する恐れがある。
【００２２】
特に、インターネット及び無線網２０を介する遠隔制御を行う過程で、個人情報、認証情報等を移動通信端末１０のユーザが直接入力しなければならない場合があるが、移動通信端末１０のディスプレイが暗転状態であることを、遠隔制御を行うコンピュータ４１のユーザが把握していない場合、深刻な誤操作を発生させる恐れがある。遠隔制御サービスは、単なる１回限りの操作の代行にその目的が限定されるものではなく、情報通信機器の使用に慣れていないユーザに同一の操作を繰り返し正確に行わせる学習効果を提供する目的もあり、従来の技術においては、移動通信端末１０の暗転状態を正確に把握できないので、そのような目的を達成することができない。
【発明の概要】
【発明が解決しようとする課題】
【００２３】
本発明は、前述の問題点に鑑みてなされたものであって、移動通信端末１０を制御するコンピュータ４１に搭載される制御プログラムが、移動通信端末１０のディスプレイが暗転状態であるかどうかを迅速、かつ、正確に把握することができるとともに、移動通信端末１０のディスプレイの暗転状態を解除することができる、コンピュータによってタッチスクリーンタイプの移動通信端末を制御するに当たってのコンピュータ及び移動通信端末の画面状態の管理方法を目的とする。
【課題を解決するための手段】
【００２４】
すなわち、本発明は、前記課題を解決するためのものであって、移動通信網２１の移動局であり、タッチスクリーンを入出力手段として備える移動通信端末１０をコンピュータ４１によって制御するに当たり、移動通信端末１０及びコンピュータ４１にそれぞれ搭載された被制御プログラム及び制御プログラムが実行され、移動通信端末１０とコンピュータ４１との間に通信路が開設されるステップと、移動通信端末１０の運営体系が移動通信端末１０のディスプレイを暗転状態に切り替えると、移動通信端末１０がコンピュータ４１に暗転信号を伝送するステップと、暗転信号を受信したコンピュータ４１が、コンピュータ４１の画面表示部５０を暗転状態に切り替えるとともに、コンピュータ４１の画面表示部５０に、画面表示部５０が暗転状態に置かれているときの、入力装置を介する入力イベントを感知する感知領域５１を設定するステップとを有することを特徴とするコンピュータによってタッチスクリーンタイプの移動通信端末の制御を行うに当たってのコンピュータ及び移動通信端末の画面状態の管理方法である。
【００２５】
また、移動通信網２１の移動局であり、タッチスクリーンを入出力手段として備える移動通信端末１０をコンピュータ４１によって制御するに当たり、移動通信端末１０及びコンピュータ４１にそれぞれ搭載された被制御プログラム及び制御プログラムが実行され、移動通信端末１０とコンピュータ４１との間に通信路が開設されるステップと、移動通信端末１０の運営体系が移動通信端末１０のディスプレイを暗転状態に切り替えると、移動通信端末１０がコンピュータ４１に暗転信号を伝送するステップと、暗転信号を受信したコンピュータ４１が、コンピュータ４１の画面表示部５０を暗転状態に切り替えるとともに、コンピュータ４１の画面表示部５０に、画面表示部５０が暗転状態に置かれているときの、入力装置を介する入力イベントを感知する感知領域５１を設定するステップと、コンピュータ４１の画面表示部５０の感知領域５１内の操作が感知されると、コンピュータ４１が移動通信端末１０に移動通信端末（１０）のディスプレイを動作させるための復元信号を伝送するステップと、復元信号を受信した移動通信端末１０が、移動通信端末１０の運営体系に操作信号を入力して移動通信端末１０のディスプレイを動作させるステップとを有することを特徴とし、前記画面表示部５０には移動通信端末１０の外形イメージであるスキン（ｓｋｉｎ）５５が含まれ、感知領域５１は、前記スキン５５に設定されることを特徴とするコンピュータによってタッチスクリーンタイプの移動通信端末を制御するに当たってのコンピュータ及び移動通信端末の画面状態の管理方法である。
【発明の効果】
【００２６】
本発明によれば、移動通信端末１０の制御をコンピュータ４１によって行うに当たり、移動通信端末１０のディスプレイが暗転状態であるかどうかを、コンピュータ４１を介して迅速、かつ、正確に把握することができ、それにより、制御過程における誤操作を防止し、操作性を高くし、遠隔制御によって移動通信端末１０のユーザに移動通信端末１０の操作方法を学習させることができる。
【図面の簡単な説明】
【００２７】
【図１】コンピュータによる移動通信端末の制御状態を示す図である。
【図２】コンピュータと移動通信端末との直接連結方式を示す図である。
【図３】コンピュータと移動通信端末とのインターネット及び無線網を介する連結方式を示す図である。
【図４】従来の技術によるコンピュータの移動通信端末の制御状態を示す図である。
【図５】本発明によるコンピュータの移動通信端末の制御状態を示す図である。
【図６】本発明のフローチャートである。
【図７】本発明によるコンピュータの移動通信端末の暗転状態を解除する方式を示す図である。
【図８】本発明の一つの実施形態による暗転状態の解除を行う過程を示すフローチャートである。
【図９】本発明による感知領域を示す図である。
【図１０】本発明によるスキンが適用された画面表示部を示す図である。
【発明を実施するための形態】
【００２８】
以下、添付図面を参照して本発明の詳細な構成及び遂行過程を説明する。
【００２９】
図５は、本発明によるコンピュータ４１の移動通信端末１０の制御状態を示す図である。図に示されるように、コンピュータ４１による移動通信端末１０の制御中に、移動通信端末１０に対する直接操作が所定の時間行われない場合、移動通信端末１０のディスプレイが暗転状態に切り替えられ、このとき、コンピュータ４１の画面表示部５０も暗転状態に切り替えられる。
【００３０】
このような移動通信端末１０のディスプレイと移動通信端末１０を制御するコンピュータ４１の画面表示部５０との連動は、移動通信端末１０及びコンピュータ４１にそれぞれ搭載された被制御プログラム及び制御プログラムによって実行され、その具体的な過程を図６にフローチャートとして示す。
【００３１】
すなわち、本発明は、コンピュータ４１による移動通信端末１０の制御を前提として行われるものであって、図６に示されるように、移動通信端末１０及びコンピュータ４１にそれぞれ搭載された被制御プログラム及び制御プログラムが実行され、移動通信端末１０とコンピュータ４１との間に通信路が開設されるステップにより開始される。
【００３２】
本発明を行うコンピュータ４１と移動通信端末１０との間に通信路を開設する方式は、図２に示されるような、移動通信端末１０とコンピュータ４１とがＵＳＢ等を介して直接連結される方式と、図３に示されるような、移動通信端末１０とコンピュータ４１とが無線網２０及びインターネットを介して連結される方式とがあり、各方式は、通信路の物理的な構築様態に差はあるが、コンピュータ４１に搭載された制御プログラムと移動通信端末１０に搭載された被制御プログラムとの間で通信が行われることから、論理的な構成は同一であるといえる。
【００３３】
図２に示されるようなコンピュータ４１と移動通信端末１０との直接連結方式において、コンピュータ４１に搭載される制御プログラムは、運営体系内のＵＳＢシステム・プログラム又はＵＳＢクライアント・デバイス・ドライバであってもよく、移動通信端末１０に搭載される被制御プログラムは、前記制御プログラムと通信する移動通信端末１０の運営体系内のプログラムモジュール又はアプリケーションであってもよい。図３に示されるようなインターネットを介する連結方式は、主に、通信会社、インターネット情報提供会社等によって提供される遠隔制御顧客支援サービスを行う際に適用される。この場合、制御プログラム及び被制御プログラムは、コンピュータ４１及び移動通信端末１０にそれぞれインストールされる遠隔制御プログラムであってもよい。
【００３４】
移動通信端末１０及びコンピュータ４１にそれぞれ搭載された被制御プログラム及び制御プログラムが実行され、移動通信端末１０とコンピュータ４１との間に通信路が開設されると、図５の上半部に示されるように、コンピュータ４１の画面には、移動通信端末１０のディスプレイを介して出力される画面情報を出力する画面表示部５０が形成される。そのために、移動通信端末１０の被制御プログラムは、移動通信端末１０の運営体系がディスプレイに出力する画像を抽出して制御プログラムに伝送する。
【００３５】
そして、コンピュータ４１と移動通信端末１０との間に通信路が開設され、移動通信端末１０がコンピュータ４１によって制御される状態で、移動通信端末１０に対する直接操作が所定の時間行われない場合、移動通信端末１０の運営体系は、ディスプレイの全体又はディスプレイの背面に配設されるバックライトの電源を遮断することによって、移動通信端末１０のディスプレイを暗転状態に切り替える。このとき、移動通信端末１０の被制御プログラムがこれを感知し、コンピュータ４１の制御プログラムに暗転信号を伝送する。
【００３６】
移動通信端末１０の運営体系によるディスプレイの暗転状態への切替えは、ディスプレイに出力される画像情報を変更するものではなく、ディスプレイのハードウェアの作動状態を調整することである。従来の技術においては、移動通信端末１０の被制御プログラムは、暗転状態を反映せずに、暗転状態に切り替わる直前の画像を表示する。したがって、コンピュータ４１の画面表示部５０にも移動通信端末１０のディスプレイの暗転状態が反映されない。これに対して、本発明においては、移動通信端末１０の運営体系のディスプレイのハードウェアの操作信号を被制御プログラムが感知すると、コンピュータ４１の制御プログラムに暗転信号を伝送するので、図５の下半部に示されるように、コンピュータ４１において、制御プログラムが画面表示部５０を暗転状態に切り替えることができる。
【００３７】
ここで、移動通信端末１０の被制御プログラムがコンピュータ４１の制御プログラムに伝送する暗転信号は、特定の画像情報を含む必要はなく、ディスプレイが暗転状態であるかどうかだけを確認することができる程度の非常に単純な信号で構成することができる。暗転信号を受信したコンピュータ４１の制御プログラムが、コンピュータ４１の画面表示部５０を暗転状態に切り替えるので、コンピュータ４１のユーザは、移動通信端末１０のディスプレイの状態をリアルタイムで正確に確認することができる。
【００３８】
図７〜１０は、本発明におけるコンピュータ４１による移動通信端末１０の暗転状態の解除を行う実施形態を示す図であり、その具体的な過程は次のとおりである。
【００３９】
本発明は、コンピュータ４１による移動通信端末１０の制御を前提としてなされるものであって、制御主体であるコンピュータ４１を操作することによって制御対象である移動通信端末１０のディスプレイの暗転状態を調節することができる。
【００４０】
図８に示されるように、移動通信端末１０の被制御プログラムがコンピュータ４１に暗転信号を伝送する過程は、前述の図６の過程と同一であり、暗転信号を受信したコンピュータ４１の制御プログラムは、コンピュータ４１の画面表示部５０を暗転状態に切り替える。画面表示部５０が暗転状態に切り替えられるのと同時に、図７の上半部に示されるように、制御プログラムは、画面表示部５０に感知領域５１を設定する。
【００４１】
画面表示部５０に設定される感知領域５１は、マウス等のコンピュータ４１の入力装置を介する入力イベント、すなわち、クリック、ダブルクリック、ドラッグ、スクロール等を感知する領域であり、図７の上半部に示されるように、画面表示部５０内に設定されるか、画面表示部５０の全体に設定されてもよく、図９及び１０に示されるように、画面表示部５０に表示されるアイコン、又は移動通信端末１０の外形イメージであるスキン５５として形成されてもよい。
【００４２】
図７に示されるように、コンピュータ４１の画面表示部５０の感知領域５１内で操作が感知されると、制御プログラムが移動通信端末１０に復元信号を伝送し、復元信号を受信した移動通信端末１０の被制御プログラムが、移動通信端末１０の運営体系に操作信号を入力して移動通信端末１０のディスプレイを動作させる。
【００４３】
移動通信端末１０に搭載される被制御プログラムは、その他のアプリケーションに比べて、移動通信端末１０の運営体系内の権限（ｐｅｒｍｉｓｓｉｏｎ）が上位に設定されるので、移動通信端末１０のディスプレイの暗転状態を解除するためのハードウェアの操作と同一又は類似した入力を被制御プログラムを介して行うことができる。
【００４４】
すなわち、移動通信端末１０のディスプレイの暗転状態を解除するためのハードウェアの直接操作として、移動通信端末１０のユーザが、移動通信端末１０の下端部のホーム（ｈｏｍｅ）ボタン又は側面部の電源ボタンを押すと、移動通信端末１０の運営体系は、それを感知してディスプレイの作動を再開するが、ハードウェアを直接操作しなくても、被制御プログラムは、運営体系と同一の入力を行うことができる。
【００４５】
図９及び１０は、本発明における画面表示部５０に設定される感知領域５１の様々な実施形態を示す図であり、それぞれ、画面表示部５０内に表示されるアイコン及び画面表示部５０の外郭部に形成されるスキン５５を示す。
【００４６】
図９のアイコンは、コンピュータ４１のユーザが、制御中の移動通信端末１０の暗転状態を解除するための操作方法を直観的に認識することができるように、制御プログラムによって画面表示部５０に出力される。なお、単純なアイコンの他に、操作方法を説明するための簡単な文字列等を加えることができる。
【００４７】
図１０のスキン５５は、画面表示部５０の外郭部に出力された移動通信端末１０の外形イメージであり、コンピュータ４１のユーザに移動通信端末１０を直接操作しているような環境を提供することによって便宜性を高くする。
【００４８】
画面表示部５０にスキン５５が含まれる場合、図１０に示されるように、スキン５５の下端部のホームボタン又は側面部の電源ボタンが感知領域５１として設定され、該感知領域５１をマウス等の入力装置により操作すると、制御中の移動通信端末１０の暗転状態を解除する復元信号が移動通信端末１０に伝送される。
【符号の説明】
【００４９】
１０    移動通信端末
２０    無線網
２１    移動通信網
２２    無線ＬＡＮ
３１    ゲートウェイ・サーバ
３２    通信社サーバ
４１    コンピュータ
５０    画面表示部
５１    感知領域
５５    スキン
【図１】
0005518173.tif 000002
【図２】
0005518173.tif 000003
【図３】
0005518173.tif 000004
【図４】
0005518173.tif 000005
【図５】
0005518173.tif 000006
【図６】
0005518173.tif 000007
【図７】
0005518173.tif 000008
【図８】
0005518173.tif 000009
【図９】
0005518173.tif 000010
【図１０】
0005518173.tif 000011